(57)【要約】【課題】ガチャ（登録商標）などの玩具販売装置内に充填されるカプセル状の包装容器は、従来は射出成形によって製造していたが、それではコストが高く、かつ重量が重くなる。そこで、ブリスターパックによって包装容器を製造したいが、ブリスターパックを用いると、ブリスターパックの包装容器の外側に張り出すフランジ部が他の包装容器のフランジ部に引っ掛かって玩具販売装置から包装容器を１個ずつ払い出すことができない。【解決手段】ブリスターパックによって製造した２個の収納部を相互に合わせた状態で両収納部が開かないように係合する係合部を、収納部の一部を凹ませた凹部内に設けることによって、フランジ部の幅を可及的に狭くした。【選択図】  図２
2020066454.tif 000002
【特許請求の範囲】
【請求項１】
払出機構備えた玩具販売機内に複数個収納され、この払出機構の作動によって個々に玩具販売機外に払い出されるカプセル状の玩具用包装容器であって、内部に玩具が収納されるものにおいて、この玩具用包装容器は真空成形によって形成されるブリスターパックであって、上記玩具を収納する一対の半球状の収納部が連結部によって相互に連結され、両収納部の合わせ面に、合わせ方向に対して直角外側方向に拡がるフランジ部を備え、上記連結部を屈曲させることによって両収納部を相互に合わせた状態で両収納部が開かないように係合する係合部を、上記収納部の一部を凹ませた凹部内に設けたことを特徴とする玩具用包装容器。
【請求項２】
上記収納部を挟んで上記連結部に対して反対側の位置に上記係合部を設けると共に、この連結部と係合部との間に位置して、上記両収納部が合わさった状態で両収納部が相対的に合わせ面方向に対して平行にずれることを防止するずれ防止部を設けたことを特徴とする請求項１に記載の玩具用包装容器。
【請求項３】
上記両収納部が合わさった状態で、一方の収納部のフランジ部の外縁が他方の収納部のフランジ部の外縁を囲むことによって、両フランジ部の間に形成される隙間が外部に露出しないようにしたことを特徴とする請求項１または請求項２に記載の玩具用包装容器。
【発明の詳細な説明】
【技術分野】
【０００１】
本発明は、内部に玩具が包装された状態で、ガチャ（登録商標）などの玩具販売装置内に充填される玩具用包装容器に関する。
【背景技術】
【０００２】
上述の玩具販売装置では、複数の種類の玩具が１個ずつカプセル状の包装容器内に収納された状態で、多数個の包装容器が玩具販売装置内に充填される。そして、玩具を購入する者は、玩具販売装置に硬貨を投入し、玩具販売装置に設けられている回転式のハンドルを回すことによって、内部に充填されている複数個の包装容器のうちの一つが玩具販売装置外に払い出される。そして、払い出された包装容器を開封して内部の玩具を手に入れる。その時点で、包装容器の役割は終了するため、包装容器は回収され、あるいは廃棄される。
【０００３】
この包装容器は、プラスチックにより形成されている（特許文献１および特許文献２を参照）。このプラスチック製の包装容器は、半球状の２個の収納部が相互に合わさることによって形成されており、玩具販売装置内で包装容器が相互に引っかからないように、表面は極力滑らかに構成されている。そのため、両収納部を相互に係合させる構造は包装容器の外部に突出しないように形成されている。下記に示す特許文献１には明示されていないが、このような複雑な構造を実現するためには、射出成形によって包装容器が形成されているものと推測される。
【先行技術文献】
【特許文献】
【０００４】
【特許文献１】特開２０１１−２５５９１６号公報（図１）
【特許文献２】特開２０１６−１９６３３４号公報（図３）
【発明の概要】
【発明が解決しようとする課題】
【０００５】
上記包装容器では、製造コストがある程度高くなるため、玩具を販売した後に廃棄されると、損失額が大きくなる。また、肉厚が厚いため重量が重くなり、内部に玩具が入れられた状態で多数個の包装容器を搬送する際に、全体の重量が重くなり、一度に搬送できる包装容器の個数が少なくなるという不具合がある。
【０００６】
なお、樹脂製の薄いフィルムを加熱し、軟らかくした状態で金型に吸い付ける真空成形によって製造されるブリスターパックで一対の収納部を製造した場合、材料のフィルムが薄くて剛性がないため、合わせ面の周囲に外側に拡がるようにフランジ部を設け、収納部の開口部分が変形しないようにする必要がある。ところが、そのフランジ部が収納部の外側に大きく突き出すため、上記玩具用の包装容器としてこのブリスターパックを採用すると、玩具販売装置内で包装容器が相互に引っ掛かり、うまく払い出すことができず実用化することが困難である。
【０００７】
そこで本発明は、上記の問題点に鑑み、ブリスターパックによって製造しても、玩具販売装置内で相互に引っ掛かることなく実用に耐えられる玩具用包装容器を提供することを課題とする。
【課題を解決するための手段】
【０００８】
上記課題を解決するために本発明による玩具用包装容器は、払出機構備えた玩具販売機内に複数個収納され、この払出機構の作動によって個々に玩具販売機外に払い出されるカプセル状の玩具用包装容器であって、内部に玩具が収納されるものにおいて、この玩具用包装容器は真空成形によって形成されるブリスターパックであって、上記玩具を収納する一対の半球状の収納部が連結部によって相互に連結され、両収納部の合わせ面に、合わせ方向に対して直角外側方向に拡がるフランジ部を備え、上記連結部を屈曲させることによって両収納部を相互に合わせた状態で両収納部が開かないように係合する係合部を、上記収納部の一部を凹ませた凹部内に設けたことを特徴とする。
【０００９】
ブリスターパックでは、２つの収納部を相互に合わせた状態で両収納部が開かないようにするための係合部を設けなければならない。従来は、その係合部をフランジ部に設けていたため、フランジ部の突き出し量を小さくすることができなかった。そこで、本発明では、その係合部を上記凹部内に設けることによりフランジ部の引き出し量を小さくして、包装容器同士がフランジ部によって引っかからないようにした。
【００１０】
ところで、係合部の個数が多いと、両収納部を閉じる際や、あるいは包装容器を開封して内部の玩具を取り出す際に手間取る。ところが、係合部の個数を少なくすると、係合部が設けられていない箇所で収納部が合わせ方向に対して平行にずれてしまうという不具合が生じる。そこで、上記収納部を挟んで上記連結部に対して反対側の位置に上記係合部を設けると共に、この連結部と係合部との間に位置して、上記両収納部が合わさった状態で両収納部が相対的に合わせ面方向に対して平行にずれることを防止するずれ防止部を設けることが考えられる。
【００１１】
なお、両収納部のフランジ部を完全に密着させることは困難であり、両フランジ部の間に隙間が生じる。その隙間に他の包装容器のフランジ部が挟まると、複数の包装容器が相互に連結されてしまい、包装容器を１個ずつ払い出すことが困難になる。そこで、上記両収納部が合わさった状態で、一方の収納部のフランジ部の外縁が他方の収納部のフランジ部の外縁を囲むことによって、両フランジ部の間に形成される隙間が外部に露出しないようにすることが望ましい。
【発明の効果】
【００１２】
以上の説明から明らかなように、本発明は、玩具販売装置内に充填する玩具用包装容器としてブリスターパックを用いても、これら包装容器が相互に引っ掛かるおそれが少なく、玩具販売装置から１個ずつ払い出すことが可能となり、ブリスターパックをこのような包装容器として実用化することができる。
【図面の簡単な説明】
【００１３】
【図１】玩具用包装容器を展開した状態を示す斜視図
【図２】玩具用包装容器の一対の収納部を相互に連結させた状態を示す斜視図
【図３】フランジ部の外縁の形状を示す部分拡大図
【発明を実施するための形態】
【００１４】
図１を参照して、１は本発明によるブリスターパックからなる玩具用包装容器（以下単に包装容器という）である。この包装容器１はポリエチレンテレフタレート（ＰＥＴ）などの樹脂材料からなるフィルムを加熱した状態で型に対して吸い付けて整形し、冷却し硬化した後に、周囲の余分な部分を打ち抜いて除去することによって製造される。
【００１５】
本発明の場合、包装容器１は一対の収納部２，３が連結部１１によって相互に連結されている。両収納部２，３は互いに半球状であるが、一方の収納部２には係合部となる穴部２１とずれ防止部となる２個の穴部２２とが設けられている。なお、これら穴部２１，２２は共に半球状の球面を内側に凹ませて形成した３個所の凹部２３内に設けられている。そのため、強度上不可欠なフランジ部２４は可及的に狭く設計されている。
【００１６】
他方の収納部３は上記収納部２と同様の構造であるが、係合部となる突起３１とずれ防止部となる２個の突起３２とが３ヶ所の凹部３３内に設けられている。なお３４はフランジ部である。
【００１７】
図２を参照して、連結部１１を曲げることによって両収納部２，３を互いに合わせると、包装容器１は図２に示すようなカプセル状になる。このとき、上記突起３１が穴部２１内にきつく嵌まり、両収納部２，３が互いに離れないように保持している。なお穴部２１と突起３１とからなる係合部が１箇所であると、この係合部と連結部１１との間で両収納部２，３が変形することが考えられる。そのために、上記ずれ止め部が設けられている。２ヶ所の突起３２は同じく２ヶ所の穴部２２内に嵌まるが、きつく嵌まるのではなく遊嵌されるように寸法が設定されている。そのため、両収納部２，３を合わせる際、および開封する際に、これらずれ止め部が抵抗となることはない。
【００１８】
ところで、上記２枚のフランジ部２４，３４は全周にわたって完全に密着させることは困難である。そのため、両者の間には隙間が生じる場合がある。このように隙間が生じると、その隙間に他の包装容器１のフランジ部が嵌まるおそれがある。そこで、図３に示すように、収納部３のフランジ部３４の外縁を更に折り曲げて周壁３４ａを形成し、この周壁３４ａによって収納部２のフランジ部２４の外縁２４ａを囲むようにした。このように構成することによって、両フランジ部２４，３４のすきまＳが覆い隠され、他の包装容器１のフランジ部がこの隙間Ｓ内に嵌まることが防止される。
【００１９】
なお、本発明は上記した形態に限定されるものではなく、本発明の要旨を逸脱しない範囲内において種々の変更を加えてもかまわない。
【符号の説明】
【００２０】
１ 包装容器
２ 収納部
３ 収納部
１１ 連結部
２１ 穴部
２２ 穴部
２３ 凹部
２４ フランジ部
３１ 突起
３２ 突起
３３ 凹部
３４ フランジ部
【図１】
2020066454.tif 000003
【図２】
2020066454.tif 000004
【図３】
2020066454.tif 000005